(57)【要約】【課題】偽造、改ざんをより確実に防止し、容易に真偽判定を行なうことができる、個人認証媒体、個人認証媒体発行装置、個人認証媒体発行方法、個人認証媒体読取装置、個人認証媒体読取方法、及び個人認証システムを提供する。【解決手段】個人認証媒体は、表示面１７を有する本体８と、被認証者の識別情報を含み表示面に印刷された表示画像と、表示画像に混入された誤植１４と、表示画像に電子透かし１３として埋め込まれ誤植の情報を示す誤植情報１５とを備えている。【選択図】      図１
2008080745.tif 000002
【特許請求の範囲】
【請求項１】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体。
【請求項２】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体。
【請求項３】
前記識別情報は、被認証者の顔画像を含んでいる請求項１又は２に記載の個人認証媒体。
【請求項４】
前記識別情報は、被認証者の個人情報を示す文字列を含んでいる請求項１乃至３のいずれか１項に記載の個人認証媒体。
【請求項５】
前記誤植は、前記顔画像に施されている請求項３記載の個人認証媒体。
【請求項６】
前記誤植は、前記文字列に施されている請求項４記載の個人認証媒体。
【請求項７】
前記表示画像は、蛍光印刷、ゴースト印刷、パールインク印刷のいずれかにより印刷されたセキュリティー画像を含んでいる請求項１乃至６のいずれか１項に記載の個人認証媒体。
【請求項８】
前記誤植は、前記セキュリティー画像に施されている請求項７記載の個人認証媒体。
【請求項９】
前記誤植は、色抜け、退色、色ポツ、印字欠けのいずれかを含んでいる請求項１乃至８のいずれか１項に記載の個人認証媒体。
【請求項１０】
前記誤植情報は、前記誤植の印刷位置および範囲を示す情報を含んでいる請求項１記載の個人認証媒体。
【請求項１１】
前記誤植情報は、前記誤植の種類を示す情報を含んでいる請求項１記載の個人認証媒体。
【請求項１２】
前記誤植情報は、前記誤植が印刷された誤植対象を示す情報を含んでいる請求項１記載の個人認証媒体。
【請求項１３】
前記誤植情報は前記顔画像に重ねて埋め込まれている請求項３記載の個人認証媒体。
【請求項１４】
前記表示画像を記憶している集積回路をさらに備えた請求項１乃至１３のいずれか１項記載の個人認証媒体。
【請求項１５】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を発行する個人認証媒体発行装置であって、
前記表示画像を作成する券面画像作成部と、
前記表示画像に誤植を混入する誤植混入部と、
前記表示画像に前記誤植情報を電子透かしとして埋め込む電子透かし埋め込み部と、
前記電子透かしの埋め込まれた表示画像を前記表示面に印刷し前記個人認証媒体を発行する印刷機と、
を備えた個人認証媒体発行装置。
【請求項１６】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び前記被認証者の識別情報を記憶する為の集積回路と、
を備えた個人認証媒体を発行する個人認証媒体発行装置であって、
前記表示画像を作成する券面画像作成部と、
前記表示画像に誤植を混入する誤植混入部と、
前記表示画像に前記誤植情報を電子透かしとして埋め込む電子透かし埋め込み部と、
前記集積回路に前記表示画像と被認証者の識別情報とを格納するＩＣライタと、
前記電子透かしの埋め込まれた表示画像を前記表示面に印刷し前記個人認証媒体を発行する印刷機と、
を備えた個人認証媒体発行装置。
【請求項１７】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を発行する個人認証媒体発行装置であって、
前記表示画像を作成する券面画像作成部と、
前記表示画像に誤植を混入する誤植混入部と、
前記表示画像に媒体固有の識別子を電子透かしとして埋め込む電子透かし埋め込み部と、
前記表示画像に混入されている誤植の誤植情報と前記識別子とを関連付けて記憶する情報処理装置と、
前記電子透かしの埋め込まれた表示画像を前記表示面に印刷し前記個人認証媒体を発行する印刷機と、
を備えた個人認証媒体発行装置。
【請求項１８】
被認証者の顔画像を取得する画像取得部をさらに備え、
前記券面画像作成部は、被認証者の顔画像を含めて前記表示画像を作成する請求項１５乃至１７のいずれか１項記載の個人認証媒体発行装置。
【請求項１９】
被認証者の個人情報を取得する個人情報取得部さらに備え、
前記券面画像作成部は、被認証者の個人情報を文字列として含めて前記表示画像を作成する請求項１５乃至１８のいずれか１項記載の個人認証媒体発行装置。
【請求項２０】
前記誤植混入部は、前記顔画像に誤植を施す請求項１８記載の個人認証媒体発行装置。
【請求項２１】
前記誤植混入部は、前記文字列に誤植を施す請求項１９記載の個人認証媒体発行装置。
【請求項２２】
前記券面画像作成部は、蛍光印刷、ゴースト印刷、パールインク印刷のいずれかで印刷する為のセキュリティー画像を作成する請求項１５乃至２１のいずれか１項記載の個人認証媒体発行装置。
【請求項２３】
前記誤植混入部は、前記セキュリティー画像に誤植を施す請求項２２記載の個人認証媒体発行装置。
【請求項２４】
前記誤植混入部は、色抜け、退色、色ポツ、印字欠けのいずれかの方法で誤植を施す請求項１５乃至２３のいずれか１項に記載の個人認証媒体発行装置。
【請求項２５】
前記電子透かし埋め込み部は、前記誤植の印刷位置および範囲を示す情報を前記誤植情報として埋め込む請求項１５又は１６に記載の個人認証媒体発行装置。
【請求項２６】
前記電子透かし埋め込み部は、前記誤植の種類を示す情報を前記誤植情報として埋め込む請求項１５又は１６に記載の個人認証媒体発行装置。
【請求項２７】
前記電子透かし埋め込み部は、前記誤植が印刷された誤植対象を示す情報を前記誤植情報として埋め込む請求項１５又は１６に記載の個人認証媒体発行装置
【請求項２８】
前記電子透かし埋め込み部は前記顔画像に重ねて前記誤植情報を埋め込む請求項１８記載の個人認証媒体発行装置。
【請求項２９】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を発行する個人認証媒体発行方法であって、
前記表示画像を作成し、
前記表示画像に誤植を混入し、
前記表示画像に前記誤植情報を電子透かしとして埋め込み、
前記電子透かしの埋め込まれた表示画像を前記表示面に印刷し前記個人認証媒体を発行する、
個人認証媒体発行方法。
【請求項３０】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び前記被認証者の識別情報を記憶する為の集積回路と、
を備えた個人認証媒体を発行する個人認証媒体発行方法であって、
前記表示画像を作成し、
前記表示画像に誤植を混入し、
前記表示画像に前記誤植情報を電子透かしとして埋め込み、
前記集積回路に前記表示画像と被認証者の識別情報とを格納し、
前記電子透かしの埋め込まれた表示画像を前記表示面に印刷し前記個人認証媒体を発行する、
個人認証媒体発行方法。
【請求項３１】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を発行する個人認証媒体発行方法であって、
前記表示画像を作成し、
前記表示画像に誤植を混入し、
前記表示画像に媒体固有の識別子を電子透かしとして埋め込み、
前記表示画像に混入されている誤植の誤植情報と前記識別子とを関連付けて記憶し、
前記電子透かしの埋め込まれた表示画像を前記表示面に印刷し前記個人認証媒体を発行する、
個人認証媒体発行方法。
【請求項３２】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を読み取る個人認証媒体読取装置であって、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し誤植情報を取得する誤植情報認識部と、
前記誤植情報認識部によって取得された誤植情報を表示するディスプレイと、
を備えた個人認証媒体読取装置。
【請求項３３】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像と被認証者の識別情報とを記憶している集積回路と、
を備えた個人認証媒体を読み取る個人認証媒体読取装置であって、
前記個人認証媒体の券面に埋め込まれている電子透かしを抽出する電子透かし抽出部と、
前記抽出された電子透かしを情報として認識し誤植情報を取得する誤植情報認識部と、
前記集積回路に格納されている前記表示画像及び前記被認証者の識別情報を読み取るＩＣリーダと、
前記誤植情報認識部によって取得された誤植情報及び前記ＩＣリーダによって読み取られた識別情報を表示するディスプレイと、
を備えた個人認証媒体読取装置。
【請求項３４】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を読み取る個人認証媒体読取装置であって、
前記個人認証媒体の前記表示画像に混入されている誤植の誤植情報を前記媒体固有の識別子と関連付けて記憶する情報処理装置と、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し前記個人認証媒体固有の識別子を取得する識別情報認識部と、
前記識別子に対応する誤植情報を前記情報処理装置から抽出する誤植情報抽出部と、
前記誤植情報抽出部によって抽出された誤植情報を表示するディスプレイと、
を備えた個人認証媒体読取装置。
【請求項３５】
前記誤植情報が前記誤植の印刷位置および範囲を示す情報を含んでいる場合、前記ディスプレイに前記誤植の印刷位置および範囲を示す情報を表示する制御部をさらに備えた請求項３２乃至３４のいずれか１項に記載の個人認証媒体読取装置。
【請求項３６】
前記誤植情報が前記誤植の種類を示す情報を含んでいる場合、前記ディスプレイに前記誤植の種類を示す情報を表示する制御部をさらに備えた請求項３２乃至３４のいずれか１項に記載の個人認証媒体読取装置。
【請求項３７】
前記誤植情報が前記誤植が印刷された誤植対象を示す情報を含んでいる場合、前記ディスプレイに前記誤植が印刷された誤植対象を示す情報を表示する制御部をさらに備えた請求項３２乃至３４のいずれか１項記載の個人認証媒体読取装置。
【請求項３８】
前記誤植情報が前記誤植の印刷位置および範囲を示す情報を含んでいる場合、前記券面画像上の前記誤植が施されている箇所に指標を組み付ける画像合成部と、前記画像合成部によって指標の組み付けられた券面画像をディスプレイに表示する制御部をさらに備えた請求項３２又は３４に記載の個人認証媒体読取装置。
【請求項３９】
前記誤植情報が前記誤植の印刷位置および範囲を示す情報を含んでいる場合、前記集積回路に格納されている前記表示画像上の前記誤植が施されている箇所に指標を組み付ける画像合成部と、前記画像合成部によって指標の組み付けられた表示画像をディスプレイに表示する制御部をさらに備えた請求項３３記載の個人認証媒体読取装置。
【請求項４０】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
を備えた個人認証媒体を読み取る個人認証媒体読取方法であって、
前記表示面を券面画像として光学的に読み取り、
前記読み取られた券面画像に埋め込まれている電子透かしを抽出し、
前記抽出された電子透かしを情報として認識し誤植情報を取得し、
前記取得した誤植情報を表示する、
個人認証媒体読取方法。
【請求項４１】
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像と被認証者の識別情報とを記憶している集積回路と、
を備えた個人認証媒体を読み取る個人認証媒体読取方法であって、
前記個人認証媒体の券面に埋め込まれている電子透かしを抽出し、
前記抽出された電子透かしを情報として認識し誤植情報を取得し、
前記集積回路に格納されている前記表示画像及び前記被認証者の識別情報を読み取り、
前記取得した誤植情報及び前記読み取った識別情報を表示する、
個人認証媒体読取方法。
【請求項４２】
表示面を有する本体と、
被認証者の識別情報を含み前記表示面に印刷された表示画像と、
前記表示画像に混入された誤植と、
前記表示画像に電子透かしとして埋め込まれた媒体固有の識別子と、
を備えた個人認証媒体を読み取る個人認証媒体読取方法であって、
前記個人認証媒体の前記表示画像に混入されている誤植の誤植情報と前記媒体固有の識別子とを関連付けて予め記憶し、
前記表示面を券面画像として光学的に読み取り、
前記読み取られた券面画像に埋め込まれている電子透かしを抽出し、
前記抽出された電子透かしを情報として認識し前記個人認証媒体固有の識別子を取得し、
前記予め記憶した誤植情報と識別子との関連付けに基いて前記取得した識別子に対応する誤植情報を抽出し、
前記抽出した誤植情報を表示する、
個人認証媒体読取方法。
【請求項４３】
前記誤植情報が前記誤植の印刷位置および範囲を示す情報を含んでいる場合、前記券面画像上の前記誤植が施されている箇所に指標を組み付け、前記指標を組み付けた券面画像をディスプレイに表示する請求項４０又は４２に記載の個人認証媒体読取方法。
【請求項４４】
前記誤植情報が前記誤植の印刷位置および範囲を示す情報を含んでいる場合、前記集積回路に格納されている前記表示画像上の前記誤植が施されている箇所に指標を組み付け、前記指標を組み付けた表示画像をディスプレイに表示する請求項４３記載の個人認証媒体読取方法。
【請求項４５】
個人認証媒体と、前記個人認証媒体を発行する個人認証媒体発行装置と、前記個人認証媒体を読み取り、前記個人認証媒体に含まれている誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報とを有し、
前記個人認証媒体発行装置は、
前記表示画像を作成する券面画像作成部と、
前記表示画像に誤植を混入する誤植混入部と、
前記表示画像に前記誤植情報を電子透かしとして埋め込む電子透かし埋め込み部と、
前記電子透かしの埋め込まれた表示画像を前記表示面に印刷し前記個人認証媒体を発行する印刷機とを有し、
前記個人認証媒体読取装置は、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し誤植情報を取得する誤植情報認識部と、
前記誤植情報認識部によって取得された誤植情報を表示するディスプレイとを有する、
個人認証システム。
【請求項４６】
個人認証媒体と、前記個人認証媒体を発行する個人認証媒体発行装置と、前記個人認証媒体を読み取り、前記個人認証媒体に含まれている誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれ前記誤植の情報を示す誤植情報と、
前記表示画像及び被認証者の識別情報を記憶している集積回路とを有し、
前記個人認証媒体発行装置は、
前記表示画像を作成する券面画像作成部と、
前記表示画像に誤植を混入する誤植混入部と、
前記表示画像に前記誤植情報を電子透かしとして埋め込む電子透かし埋め込み部と、
前記集積回路に前記表示画像と前記被認証者の識別情報とを格納するＩＣライタと、
前記電子透かしの埋め込まれた表示画像を前記表示面に印刷し前記個人認証媒体を発行する印刷機とを有し、
前記個人認証媒体読取装置は、
前記個人認証媒体の券面に埋め込まれている電子透かしを抽出する電子透かし抽出部と、
前記抽出された電子透かしを情報として認識し誤植情報を取得する誤植情報認識部と、
前記集積回路に格納されている前記表示画像と前記被認証者の識別情報とを読み取るＩＣリーダと、
前記誤植情報認識部によって取得された誤植情報と前記ＩＣリーダによって読み取られた被認証者の識別情報とを表示するディスプレイと、
個人認証システム。
【請求項４７】
個人認証媒体と、前記個人認証媒体を発行する個人認証媒体発行装置と、前記個人認証媒体を読み取り、前記個人認証媒体に含まれている識別子に対応する誤植情報を抽出し、前記抽出した誤植情報を表示する個人認証媒体読取装置と、を備えた個人認証システムであって、
前記個人認証媒体は、
表示面を有する本体と、
被認証者の識別情報を含み前記表示面に印刷された表示画像と、
前記表示画像に混入された誤植と、
前記表示画像に電子透かしとして埋め込まれた媒体固有の識別子とを有し、
前記個人認証媒体発行装置は、
前記表示画像を作成する券面画像作成部と、
前記表示画像に誤植を混入する誤植混入部と、
前記表示画像に媒体固有の識別子を電子透かしとして埋め込む電子透かし埋め込み部と、
前記表示画像に混入されている誤植の誤植情報と前記識別子とを関連付けて記憶する情報処理装置と、
前記電子透かしの埋め込まれた表示画像を前記表示面に印刷し前記個人認証媒体を発行する印刷機とを有し、
前記個人認証媒体読取装置は、
前記表示面を券面画像として光学的に読み取るイメージリーダと、
前記イメージリーダにより読み取られた券面画像に埋め込まれている電子透かしを抽出する電子透かし抽出部と、
前記抽出された電子透かしを情報として認識し前記個人認証媒体固有の識別情報を取得する識別情報認識部と、
前記識別情報に対応する誤植情報を前記情報処理装置から抽出する誤植情報抽出部と、
前記誤植情報抽出部によって抽出された誤植情報を表示するディスプレイとを有する、
個人認証システム。
【発明の詳細な説明】
【技術分野】
【０００１】
この発明は、媒体の所有者を証明する個人認証媒体、個人認証媒体発行装置及び個人認証媒体発行方法、個人認証媒体読取装置及び個人認証媒体読取方法、及び個人認証システムに関する。
【背景技術】
【０００２】
近年、免許証、パスポート、国民カード、ＩＤカード、クレジットカードなどの、所持者の認証などに用いるセキュリティー用途の個人認証媒体が知られている。このような個人認証媒体では、その用途から偽変造防止の技術が不可欠である。個人認証媒体の不正使用を防止する為に、偽造が困難で、且つ真偽判定が容易な偽変造防止技術が要求されている。そこで、セキュリティパターンを用いて文字を印刷した印刷物及び印刷方法が提示されている。（たとえば、特許文献１参照）。
【特許文献１】特開２００２−５２８７２号公報
【発明の開示】
【発明が解決しようとする課題】
【０００３】
しかし、上記した従来の印刷物及び印刷方法では、偽造を防止する為の処理（偽造防止処理）は単独でしか施されていない。偽造防止処理の仕組みが見破られた場合、容易に偽造が行なわれる可能性がある。
【０００４】
また、複数の偽造防止処理が施されている場合でも、個別に各偽装防止策の仕組みが見破られ、印刷物の偽造が行なわれる可能性がある。  
そこで、本発明の目的は、偽造、改ざんをより確実に防止し、容易に真偽判定を行なうことができる、個人認証媒体、個人認証媒体発行装置及び個人認証媒体発行方法、個人認証媒体読取装置及び個人認証媒体読取方法、及び個人認証システムを提供することにある。
【課題を解決するための手段】
【０００５】
上記目的を達成する為に、本発明の態様に係る個人認証媒体は、表示面を有する本体と、被認証者の識別情報を含み表示面に印刷された表示画像と、表示画像に混入された誤植と、表示画像に電子透かしとして埋め込まれ誤植の情報を示す誤植情報とを備える。
【０００６】
また、本発明の態様に係る個人認証媒体発行装置は、表示画像を作成する券面画像作成部と、表示画像に誤植を混入する誤植混入部と、表示画像に誤植情報を電子透かしとして埋め込む電子透かし埋め込み部と、電子透かしの埋め込まれた表示画像を表示面に印刷し個人認証媒体を発行する印刷機とを備える。
【０００７】
また、本発明の態様に係る個人認証媒体読取装置は、表示面を券面画像として光学的に読み取るイメージリーダと、イメージリーダにより読み取られた券面画像に埋め込まれている電子透かしを抽出する電子透かし抽出部と、抽出された電子透かしを情報として認識し誤植情報を取得する誤植情報認識部と、券面画像上に誤植情報に基づいて処理を施した出力画像を作成する画像合成部と、出力画像を表示するディスプレイとを備える。
【発明の効果】
【０００８】
上記構成により、偽造、改ざんをより確実に防止し、容易に真偽判定を行なうことができる、個人認証媒体、個人認証媒体発行装置及び個人認証媒体発行方法、個人認証媒体読取装置及び個人認証媒体読取方法、及び個人認証システムを提供することができる。
【発明を実施するための最良の形態】
【０００９】
以下、図面を参照しながら、この発明の第１実施形態に係る個人認証システムについて詳細に説明する。本実施形態に係る個人認証システムは、個人認証媒体と、個人認証媒体を発行する個人認証媒体発行装置と、個人認証媒体から情報を読取る個人認証媒体読取装置と、を備えている。個人認証媒体読取装置は個人認証媒体に形成された情報の一部を特定して表示し、この表示を視認することにより個人認証媒体の真偽の判定を行なう。
【００１０】
始めに、第１実施形態に係る証明書（個人認証媒体）について詳細に説明する。  
図１は、本実施形態において発行された証明書１０の一例を示す図である。証明書１０は矩形状のカ−ド状の本体８を有している。本体８の一方の表面は矩形状の券面１７（表示面）を形成している。券面１７には、表示画像として、個人認証用の文字列である個人情報１１、及び証明書申請者の顔画像１２が印刷されている。
【００１１】
個人情報１１は、例えば申請者の氏名、住所、有効期限、及び証明書ＩＤ等を含んでいる。顔画像１２は証明書申請者の顔写真であり、券面１７内の所定の領域に印刷されている。顔画像１２は矩形状に形成されている。顔画像１２は各辺が券面１７の各辺とそれぞれ平行となるように形成されている。
【００１２】
券面１７は、意図的に混入された誤植１４を含んでいる。誤植１４は例えば、顔画像１２内に矩形状に形成されている。ここで、誤植１４とは、肉眼で気にならない程度のサイズの濃色での塗りつぶしである。なお、誤植１４の混入位置は券面１７内のどこであってもよい。
【００１３】
顔画像１２は電子透かし１３を含んでいる。電子透かし１３は、券面１７に形成されている誤植の箇所（位置及び範囲）を示す情報を含んでいる。また、電子透かし１３は、誤植１４を施す対象となる印刷の種類（誤植対象）を示す情報、及び誤植１４の種類（誤植方法）を示す情報をさらに含んでいる。これらの誤植箇所、誤植対象、及び誤植方法は誤植情報１５を構成している。
【００１４】
なお、顔画像１２内に誤植１４が混入されている場合、電子透かし１３は誤植１４と重ならない位置で顔画像１２内に埋め込まれる。
【００１５】
ここで電子透かしとは、情報を肉眼で目視できない状態で券面に重畳された画像を示す。電子透かしを目視できる状態にするには、専用の読取装置で読取り画像処理を施す必要がある。電子透かしを埋め込む方法としては、例えば補色の関係を用いた方法がある。人間は輝度情報よりも色差情報の方が判別困難であるという視覚特性を有している。例えば、赤色とシアン色とが細かく配列されている場合、人間の目には判別しにくく無彩色に見える。この特性を利用し、補色の関係を有する複数色で画像を形成することにより、肉眼では見えない電子透かしを埋め込むことができる。
【００１６】
誤植情報１５は１８桁の数字（コード）の羅列であり、それぞれの数字は既定の意味を持っている。本実施形態では「０５６００７８０００１０００１０１７」というコードが電子透かし１３として顔画像１２に埋め込まれている。
【００１７】
図２は、本実施形態に係る誤植情報１５（コード）の構成例を示す説明図である。誤植情報１５は１８桁の数字（若しくは文字や記号）で形成されている。先頭の４桁「０５６０」は誤植１４の左上の角の縦位置を示している。次の４桁「０７８０」は誤植１４の左上の角の横位置を示している。
【００１８】
また、次の４桁「００１０」は誤植１４の左上の角からの縦幅を示している。さらに次の４桁「００１０」は誤植１４の左上の角からの横幅を示している。次の１桁「１」は誤植対象（ここでは通常印刷）を示している。最後の１桁「７」は誤植方法（ここでは色ポツ）を示している。色ポツとは、濃色での塗りつぶしを示している。  
誤植情報は１８桁のコードとしたがこれに限定されない。必要最低限の情報が盛り込まれていれば、何桁のコードを用いてもよい。
【００１９】
次に証明書１０を発行する証明書（個人認証媒体）発行装置について説明する。  
図３は、本実施形態に係る証明書発行装置の概略構成を示すブロック図である。証明書発行装置は入力機１００と、ホストコンピュータ２００と、印刷機３００とを有している。入力機１００、ホストコンピュータ２００、及び印刷機３００は、ＬＡＮなどのネットワーク回線４００を介して互いに接続されている。
【００２０】
入力機１００は証明書申請者の顔画像１２と、個人情報１１とを取得し券面画像を作成する。また、券面画像に誤植１４を混入し、誤植情報１５を電子透かし１３として埋め込み印刷データを作成する。印刷機３００は入力機１００より印刷データを取得し、この印刷データに応じた券面画像を証明書１０の券面１７に印刷し、発行する。
【００２１】
印刷機３００は顔画像１２、個人情報１１を印刷する通常印刷の他に、セキュリティー画像を形成するゴースト印刷、蛍光印刷、及びパールインク印刷等の特殊印刷を行なうことができる。ゴースト印刷とは、肉眼では確認できないが、スキャン等を行なった場合に可視状態となる像、文字等を印刷する印刷方法である。蛍光印刷とは、肉眼では確認できないが、紫外線を当てることにより可視状態となる像、文字等を印刷する印刷方法である。パールインク印刷とは、印刷部分に当たる光の角度を変えることにより色が変化する特殊なインクを用いた印刷方法である。
【００２２】
上記した入力機１００、及び印刷機３００の動作は、ホストコンピュータ２００によって統括的に制御されている。ホストコンピュータ２００は、証明書１０の発行指示が入力された場合、その指示内容が装置に反映されるように各機器をそれぞれ制御している。
【００２３】
図４は、図３に示した入力機１００の構成を示すブロック図である。入力機１００は、ＨＤＤ１１０、メモリ１２０、ポート１３０、サウンドコントローラ１４０、ビデオアクセラレータ１５０、ネットワークＩ／Ｆ１８０、ＣＰＵ１９０を有している。
【００２４】
ＨＤＤ１１０は、誤植１４を混入し、電子透かし１３を埋め込む為のアプリケーションを格納している。メモリ１２０はＣＰＵ１９０の作業領域として使用される。  
ポート１３０はＵＳＢ等で構成される外部機器接続手段である。カメラ５１０、スキャナ５２０、キーボード５３０、及びマウス５４０はＨＵＢ５００を介してポート１３０に接続されている。カメラ５１０及びスキャナ５２０は顔画像取得部を形成している。キーボード５３０及びマウス５４０は個人情報取得部を形成している。
【００２５】
サウンドコントローラ１４０は外部に接続されているスピーカ１６０の動作を制御する。ビデオアクセラレータ１５０は外部に接続されているモニタ１７０の動作を制御する。  
ＣＰＵ１９０はＨＤＤ１１０に格納されている各種アプリケーションを実行する。ＣＰＵ１９０は券面画像作成部１９１、誤植設定部１９２、誤植付与部１９３、及び電子透かし埋込部１９４を有している。券面画像作成部１９１は顔画像１２、及び個人情報１１を取得し券面画像を作成する。
【００２６】
誤植設定部１９２はモニタ１７０に誤植印刷設定画面を表示させる。誤植印刷設定画面は誤植箇所、誤植対象、及び誤植方法を設定する為の画面である。各種設定はキーボード５３０及びマウス５４０を操作することにより変更可能である。設定が変更された場合、誤植設定部１９２は誤植情報１５を更新する。誤植付与部１９３は誤植情報１５を元に、券面画像に誤植１４を混入する。
【００２７】
電子透かし埋込部１９４は誤植情報１５を電子透かし１３として顔画像１２に埋め込む。誤植設定部１９２と誤植付与部１９３とが誤植混入部を形成している。  
入力機１００はネットワークＩ／Ｆ１８０を介してＬＡＮなどのネットワーク回線４００に接続されている。ネットワーク回線４００を介して券面画像が印刷データとして印刷機３００に送信される。
【００２８】
図５は、モニタ１７０に表示された誤植印刷設定画面６００の例を示す説明図である。誤植印刷設定画面６００は設定項目６１０、プレビュー６５０、及びメニューボタン６６０から構成されている。またマウス５４０で操作可能なカーソル６５４が表示されている。カーソル６５４はマウス５４０によって操作することにより、各種設定の変更を行なうことができる。
【００２９】
設定項目６１０は誤植の混入位置６１１、混入範囲６１２、誤植対象６１３、及び誤植方法６１４を有している。設定項目６１０で設定される内容は誤植情報１５に直結している。
【００３０】
混入位置６１１は誤植１４を混入する位置を設定する為のものである。縦位置のセルは混入される誤植１４の左上の角の縦位置を示し、横位置のセルは誤植１４の左上の角の横位置を示している。
【００３１】
混入範囲６１２は誤植１４を混入する範囲を設定する為のものである。縦幅のセルは混入される誤植１４の左上の角からの縦幅を示している。横幅のセルは混入される誤植１４の左上の角からの横幅を示している。
【００３２】
誤植対象６１３は誤植１４を施す対象となる印刷の種類を設定する為のものである。通常印刷を選択した場合は「１」、ゴースト印刷を選択した場合は「２」、蛍光印刷を選択した場合は「３」、パールインク印刷を選択した場合は「４」が誤植情報１５に挿入される。本実施形態では通常印刷が選択されている。
【００３３】
誤植方法６１４は施す誤植１４の種類を設定する為のものである。色抜けを選択した場合は「５」、退色を選択した場合は「６」、色ポツを選択した場合は「７」、印字欠けを選択した場合は「８」が誤植情報１５に挿入される。色抜けとは、インクを塗抹しない誤植方法である。退色とは、本来より淡い色で印刷する誤植方法である。色ポツとは、濃色で塗りつぶす誤植方法である。印字欠けとは、文字印刷の一部を欠けさせる誤植方法である。本実施形態では色ポツが選択されている。
【００３４】
誤植対象６３０及び誤植方法６４０の各項目は、マウス５４０でカーソル６５４を操作し、「□」をクリックすることによって選択される。選択された項目の「□」の中にはレ点がそれぞれ付される。
【００３５】
プレビュー６５０はルーラー６５１、６５２、券面画像６５３、カーソル６５４、及び色ポツ６５５を表示する。  
ルーラー６５１、６５２は券面画像６５３の左側と下側にそれぞれ表示されている。縦方向のルーラー６５１には０から７６８ピクセルの目盛りが付されている。横方向のルーラー６５２には０から１０２４ピクセルの目盛りが付されている。即ち、券面画像６５３は横１０２４×縦７６８ピクセルで構成されている画像である。券面画像６５３は個人情報１１及び顔画像１２を含んでいる。
【００３６】
設定項目６１０で行なわれた各設定の反映された券面画像６５３がプレビュー６５０に表示される。混入位置６１１及び混入範囲６１２の各セルにはキーボード５３０によって数値が入力される。セル内の数値の単位はピクセルであり、プレビュー６５０内のルーラー６５１、６５２に対応している。
【００３７】
即ち本実施形態では、券面画像６５３の左から７８０ピクセル、上から５６０ピクセルの位置から、縦幅、横幅共に１０ピクセルの色ポツ６５５が設定されている。色ポツ６５５は印刷されることにより誤植１４になる。それぞれの設定値が変更される度に誤植情報１５は更新される。誤植情報１５は電子透かし１３として顔画像１２に埋め込まれている。券面画像６５３は常に最新の誤植情報１５を用いて表示される。
【００３８】
メニューボタン６６０は「ＣＬＥＡＲ」キー６６１、「ＣＡＮＣＥＬ」キー６６２、及び「ＳＡＶＥ」キー６６３を有している。  
上記の設定項目６１０はデフォルト値が設定されている。「ＣＬＥＡＲ」キー６６１をクリックすることにより、各項目の設定値をデフォルト値に戻すことができる。「ＣＡＮＣＥＬ」キー６６２をクリックすることにより、設定を保存せずに処理を中止することができる。「ＳＡＶＥ」キー６６３をクリックすることにより、最新の誤植情報１５の反映された券面画像６５３を保存することができる。券面画像６５３は印刷データとして印刷機３００へ送信される。
【００３９】
混入位置６１１及び混入範囲６１２の各セルはキーボードによって数値が入力されるとしたがこれに限定されない。例えばプレビュー６５０上でカーソル６５４をドラッグすることにより自動的に混入位置６１１及び混入範囲６１２の各セルに対応する数値が入力される構成としてもよい。
【００４０】
誤植方法６１４は単数選択としたがこれに限定されない。券面画像６５３内に複数且つ多種の誤植を混入する構成であってもよく、この場合、混入される複数の誤植にそれぞれ個別に誤植箇所の設定を行なう。
【００４１】
図６は、図３及び図４に示した証明書発行装置における証明書１０の発行動作を示すフローチャートである。入力機１００にキーボード５３０及びマウス５４０によって個人情報１１が入力される（ステップＳＡ１）。カメラによって撮像された顔画像１２．あるいはスキャナによって読み取られた顔画像１２が入力機１００にカメラ５１０若しくはスキャナ５２０によって顔画像１２が入力される（ステップＳＡ２）。
【００４２】
券面画像作成部１９１は入力された個人情報１１と顔画像１２とデフォルトの誤植情報とを用いて券面画像６５３を作成する（ステップＳＡ３）。誤植設定部１９２はモニタ１７０に誤植印刷設定画面６００を表示させる（ステップＳＡ４）。
【００４３】
誤植設定部１９２は誤植印刷設定画面６００上で誤植情報１５が更新されたかどうか判断する（ステップＳＡ５）。誤植情報１５が更新された場合（ステップＳＡ５、ＹＥＳ）、プレビュー６５０内の券面画像６５３を逐次更新する（ステップＳＡ６）。
【００４４】
誤植印刷設定画面６００においてセーブキー６６３がクリックされた場合、最新の誤植情報１５が券面画像６５３に反映される。即ち、誤植情報１５が更新されたことにより券面画像に色ポツ６５５が混入される（ステップＳＡ７）。電子透かし埋込部１９４は色ポツ６５５の混入された券面画像６５３に最新の誤植情報１５を電子透かし１３として埋め込む（ステップＳＡ８）。
【００４５】
入力機１００は券面画像６５３を印刷データとして印刷機３００へ送信する（ステップＳＡ９）。印刷機３００は受信した券面画像６５３を証明書１０の券面１７に印刷し、発行する（ステップＳＡ１０）。これにより、発行処理を終了する。
【００４６】
上記構成により、誤植１４を券面１７に混入し、誤植情報１５を電子透かし１３として顔画像１２に埋め込むことができる。
【００４７】
図７は、図５に示した誤植印刷設定画面６００のプレビュー６５０の他の例を示す説明図である。図５に示したプレビュー６５０と同一の部分には同一の参照符号を付してその詳細な説明を省略する。
【００４８】
図５の誤植対象６１３において蛍光印刷が選択された場合、プレビュー６５０の券面画像６５３にはセキュリティー画像として蛍光印刷画像６５６が表示される。通常印刷画像である個人情報１１及び顔画像１２は本来より淡い色で表示されている。蛍光印刷画像６５６は、誤植として、色ポツ６５５、色抜け６５７、退色６５８、及び印字欠け６５９を含んでいる。
【００４９】
また、色ポツ６５５、色抜け６５７、退色６５８、及び印字欠け６５９に対応する誤植情報１５は通常印刷画像内の顔画像１２に電子透かし（図示せず）として埋め込まれる。  
ゴースト印刷、及びパールインク印刷が選択された場合も蛍光印刷の場合と同様に表示される。
【００５０】
次に、証明書１０を検査する証明書（個人認証媒体）読取装置、ここでは電子透かしビューワについて説明する。  
図８は、電子透かしビューワ７００の概略構成を示すブロック図である。電子透かしビューワ７００は証明書１０の読取部である原稿読取台７１０、各種処理を行う制御部７２０、パーソナルコンピュータ７４０と接続する為のＵＳＢポート７３０、及び電源部７６０を有している。
【００５１】
原稿読取台７１０にはイメージリーダ７１１が設置されている。イメージリーダ７１１は証明書１０の券面１７を読み取り、読取イメージを作成するものである。イメージリーダ７１１は電子透かし抽出部７１２、及び蛍光印刷画像読取部７１３をさらに有している。電子透かし抽出部７１２は証明書１０の読取イメージから電子透かし１３を抽出する。蛍光印刷画像読取部７１３は証明書１０に印刷されている蛍光印刷画像６５６を読み取るものである。
【００５２】
制御部７２０は誤植情報認識部７２１、及び確認画面作成部７２２を有している。誤植情報認識部７２１は画像データである電子透かし１３を、数値として認識し、誤植情報１５を取得する。確認画面作成部７２２は後述する確認画面（誤植箇所確認画面及び誤植情報確認画面）を作成する。誤植箇所確認画面は誤植情報１５を用いて読取イメージの誤植箇所を特定して示すものである。
【００５３】
本実施形態では、確認画面作成部７２２は誤植箇所に枠を組み付けて表示する、画像合成部としての機能を有している。また、誤植箇所確認画面には誤植情報確認画面を表示させる為の「ＩＮＦＯ」キーが設置されている。誤植情報確認画面は電子透かし１３より取得した誤植情報１５をテンプレートに挿入し文字情報として示すものである。
【００５４】
ＵＳＢポート７３０はパーソナルコンピュータ７４０と電子透かしビューワ７００とを接続する為のものである。パーソナルコンピュータ７４０はＵＳＢポート７３０を介して電子透かしビューワ７００と各種制御信号、及びデータの送受信を行なう。
【００５５】
パーソナルコンピュータ７４０はディスプレイ７５０を有している。ディスプレイ７５０は、例えば液晶パネルなどで構成される表示装置である。電子透かしビューワ７００にて作成された確認画面はＵＳＢポート７３０を介しパーソナルコンピュータ７４０へ送信される。パーソナルコンピュータ７４０は制御部７２０の制御により受信した確認画面をディスプレイ７５０へ表示させる。電源部７６０は電子透かしビューワ７００に電流及び電圧を供給する。
【００５６】
上記したように、制御部７２０は、「ＩＮＦＯ」キーがクリックされた場合、取得した誤植情報から、印刷位置および範囲を示す情報、誤植の種類を示す情報、及び誤植が印刷された誤植対象を示す情報をディスプレイ７５０へ表示させることができる。また、制御部７２０は、確認画面作成部７２２（画像合成部）によって枠の組み付けられた券面の画像をディスプレイ７５０へ表示させることができる
電子透かしビューワ７００はＵＳＢポート７３０を介してパーソナルコンピュータ７４０に制御される構成としたが、これに限定されない。パーソナルコンピュータ７４０及びディスプレイ７５０は電子透かしビューワ７００に内蔵されてもよい。この場合、電子透かしビューワ７００はポータブル機器として扱うことができる。
【００５７】
図９は、図８に示した電子透かしビューワ７００において、後述の確認画面を表示する動作を示すフローチャートである。まず、画像読取部７１０に証明書１０がセットされると、イメージリーダ７１１は証明書１０を光学的にスキャンし読取イメージを作成する（ステップＳＢ１）。電子透かし抽出部７１２は読取イメージから電子透かし１３を抽出する（ステップＳＢ２）。
【００５８】
誤植情報認識部７２１は抽出した電子透かし１３を、数値として認識し、誤植情報１５を取得する（ステップＳＢ３）。誤植情報認識部７２１は取得した誤植情報１５より誤植対象が蛍光印刷であるかどうか判断する（ステップＳＢ４）。
【００５９】
誤植対象が蛍光印刷でない場合（ステップＳＢ４、ＮＯ）、確認画面作成部７２２は図１０に示す誤植箇所確認画面を作成する。即ち、誤植情報１５に基づき、読取イメージ中の誤植箇所に枠を設置する（ステップＳＢ５）。ディスプレイ７５０は誤植箇所確認画面を表示する（ステップＳＢ６）。
【００６０】
確認画面作成部７２２は誤植情報確認画面を表示する操作入力があるかどうか判断する（ステップＳＢ７）。誤植情報確認画面を表示する操作入力があった場合（ステップＳＢ７、ＹＥＳ）、確認画面作成部７２２は誤植情報確認画面を作成する（ステップＳＢ８）。ディスプレイ７５０は誤植情報確認画面を表示する（ステップＳＢ９）。
【００６１】
ステップＳＢ４において誤植対象が蛍光印刷であると判断された場合（ステップＳＢ４、ＹＥＳ）、蛍光印刷画像読取部７１３は証明書１０蛍光印刷画像を光学的にスキャンし蛍光印刷読取イメージを作成する（ステップＳＢ１０）。確認画面作成部７２２は蛍光印刷読取イメージを用いて誤植箇所確認画面を作成する（ステップＳＢ１１）。ディスプレイ７５０は誤植箇所確認画面を表示する（ステップＳＢ１２）。
【００６２】
図１０は、電子透かしビューワ７００により得られた、証明書１０の誤植箇所確認画面８００の表示例を示す図である。誤植箇所確認画面８００はイメージ８２０、及びメニューボタン８３０を含んでいる。
【００６３】
イメージ８２０は券面画像８２１、及び枠８２２を有している。券面画像８２１はイメージリーダ７１１によって作成された読取イメージである。  
券面画像８２１は個人情報１１及び顔画像１２を含んでいる。また、券面画像８２１は、誤植情報認識部７２１により取得された誤植情報１５に基づき読取イメージ中の誤植箇所に設置された枠８２２を含んでいる。さらに、券面画像８２１はスキャンにより可視状態となったゴースト印刷画像８２３を含んでいる。
【００６４】
メニューボタン８３０は「ＲＥＡＤ」キー８３１、「ＩＮＦＯ」キー８３２、「ＣＬＥＡＲ」キー８３３、及び「ＥＮＤ」キー８３４から構成されている。  
「ＲＥＡＤ」キー８３１をクリックすることにより、本装置は証明書１０の券面１７の読取を開始する。「ＩＮＦＯ」キー８３２をクリックすることにより、確認画面作成部７２２は誤植情報確認画面のウィンドウをポップアップする。「ＣＬＥＡＲ」キー８３３をクリックすることにより、誤植情報認識部７２１は取得した誤植情報１５を削除し、確認画面作成部７２２はイメージ８２０の表示を消す。「ＥＮＤ」キー８３４をクリックすることにより、本装置は確認画面の表示を消し、処理を終了する。  
ここで、誤植情報１５の中に複数の誤植に関する情報が含まれている場合がある。その場合、混入される複数の誤植にそれぞれ個別に枠の設置を行なう。
【００６５】
本実施形態では、イメージ８２０は証明書１０の券面１７全体を表示する構成となっているがこれに限定されない。枠を設置したその周辺箇所だけを表示する構成でも本旨を逸脱しない。
【００６６】
図１１は、図１０において「ＩＮＦＯ」キー８３２をクリックした際に表示される誤植情報確認画面８４０の表示例を示す図である。誤植情報確認画面８４０は、誤植情報８５０、及び「ＣＬＯＳＥ」キー８６１を含んでいる。
【００６７】
誤植情報８５０は、電子透かし１３より取得した誤植情報１５をテンプレートに挿入し文字情報として示したものである。誤植情報８５０は、誤植の混入位置８５１、混入範囲８５２、誤植対象８５３、及び誤植方法８５４を含んでいる。誤植情報８５０は図５に示した証明書発行装置の設定項目６１０と対応している。即ち、誤植の混入位置８５１、混入範囲８５２、誤植対象８５３、及び誤植方法８５４は混入位置６１１、混入範囲６１２、誤植対象６１３、及び誤植方法６１４と同様の意味を持っている。
【００６８】
電子透かし１３より取得した誤植情報１５の１８桁の数字の内、最初の４桁「０５６０」は混入位置８５１の縦位置のセルに挿入され、次の４桁「０７８０」は混入位置８５１の横位置のセルに挿入される。また、次の４桁「００１０」は混入範囲８５２の縦幅のセルに挿入され、さらに次の４桁「００１０」は混入範囲８５２の横幅のセルに挿入される。
【００６９】
次の１桁「１」は誤植対象が通常印刷であることを示している。誤植対象８５３に「１．通常印刷」と表示される。最後の１桁「７」は証明書１０の券面１７に施されている誤植の種類が色ポツであることを示している。誤植方法８５４に「７．色ポツ」と表示される。
【００７０】
「ＣＬＯＳＥ」キー８６１は誤植情報確認画面のウィンドウを閉じる為のものである。  
上記の構成により、証明書１０に電子透かし１３として埋め込まれている誤植情報１５を認識し、誤植が混入されている範囲を強調して表示することができる。
【００７１】
図１２は、図１０に示した誤植箇所確認画面８００のイメージ８２０の他の例を示す説明図である。図１０に示したイメージ８２０と同一の部分には同一の参照符号を付してその詳細な説明を省略する。
【００７２】
誤植対象が蛍光印刷である場合、イメージ８２０の券面画像８２１には蛍光印刷画像画像８２４が含まれる。蛍光印刷画像８２４は蛍光印刷画像読取部７１２によって作成された蛍光印刷の読取イメージである。通常印刷の読取イメージである個人情報１１及び顔画像１２は本来より淡い色で表示されている。
【００７３】
また、券面画像８２１は、誤植情報認識部７２１により取得された誤植情報１５に基づき読取イメージ中の誤植箇所に設置された枠８２２、８２５、８２６及び８２７を含んでいる。枠８２２、８２５、８２６及び８２７はそれぞれ、色ポツ、色抜け、退色、及び印字欠けの誤植箇所に設置された枠である。
【００７４】
誤植対象がゴースト印刷、及びパールインク印刷である場合も上記と同様に表示される。  
上記構成によると、誤植箇所確認画面８００を確認し、枠の中に正しく誤植１４があるか否かによって真偽判定を行なうことができる。
【００７５】
第１実施形態に係わる個人認証システムよると、証明書１０に意図的に誤植を混入し、誤植の混入された位置、範囲の情報を電子透かしとして埋め込む。証明書１０に電子透かし１３として埋め込まれている誤植情報１５を認識し、誤植が混入されている範囲を特定して表示する。この表示を視認することにより証明書１０の真偽判定を行なうことができる。即ち、この特定された位置に誤植があるか否かを確認することにより、証明書１０の真偽判定を行なうことができる。この為、偽造、改ざんをより確実に防止し、容易に真偽判定を行なうことができる。また、誤植、電子透かし、及び特殊印刷を組み合わせることで、より堅固な偽変造対策を実現することができる。
【００７６】
上記構成により、偽造、改ざんをより確実に防止し、容易に真偽判定を行なうことができる、個人認証媒体、個人認証媒体発行装置及び個人認証媒体発行方法、個人認証媒体読取装置及び個人認証媒体読取方法、及び個人認証システムを提供することができる
本発明は上記の実施形態に限定されない。証明書１０にＩＣ（Ｉｎｔｅｇｒａｔｅｄ  Ｃｉｒｃｕｉｔ）を内蔵させ、各種情報を記憶させておくようにしてもよい。  
次に、本発明の第２実施形態に係る証明書（個人認証媒体）について図面を参照して説明する。  
図１３は、本実施形態において発行された証明書１０の一例を示す図である。第１実施形態と同一の部分には同一の参照符号を付して、その詳細な説明を省略する。第２実施形態によれば、証明書１０は、本体８に内蔵されたＩＣ１６を備えている。本体８の一方の表面は矩形状の券面１７を形成している。券面１７には個人情報１１及び顔画像１２が印刷され、また、誤植１４及び電子透かし１５が印刷されている。他の構成は、第１実施形態と同一である。
【００７７】
ＩＣ１６は非接触型記憶媒体であり、図示しない多数の素子（トランジスタ、コンデンサ、及び抵抗）から形成されている。ＩＣ１６は、証明書１０の縁部に埋め込まれているアンテナ１９により、ＩＣリーダ及びＩＣライタと無線通信を行なうことができる。ＩＣ１６は、券面１７に印刷されている券面画像を記憶している。また、ＩＣ１６は申請者の個人情報１１（被認証者の識別情報）を証明書情報として記憶している。
【００７８】
次に証明書１０を発行する証明書発行装置について説明する。  
図１４は、第２実施形態に係る証明書発行装置の概略構成を示すブロック図である。証明書発行装置は入力機１００と、ホストコンピュータ２００と、印刷機３００とを有している。入力機１００、ホストコンピュータ２００、及び印刷機３００は、ＬＡＮなどのネットワーク回線４００を介して互いに接続されている。
【００７９】
印刷機３００はさらにＩＣライタ３１０を有している。ＩＣライタ３１０は証明書１０に内蔵されているＩＣ１６に無線通信により情報を書き込む。即ち、ＩＣライタ３１０は取得した印刷データと証明書情報をＩＣ１６に保存する。複数の印刷方法を用いて証明書１０の印刷を行なう場合、ＩＣライタ３１０は印刷方法毎に印刷データをＩＣ１６に保存する。
【００８０】
図１５は、図１４に示した証明書発行装置における証明書１０の発行時の動作を示すフローチャートである。入力機１００にキーボード５３０及びマウス５４０によって個人情報１１が入力される（ステップＳＣ１）。入力機１００にカメラ５１０若しくはスキャナ５２０によって顔画像１２が入力される（ステップＳＣ２）。
【００８１】
券面画像作成部１９１は入力された個人情報１１と顔画像１２とデフォルトの誤植情報とを用いて券面画像６５３を作成する（ステップＳＣ３）。誤植設定部１９２は図５に示した誤植印刷設定画面６００をモニタ１７０に表示させる（ステップＳＣ４）。
【００８２】
誤植設定部１９２は誤植印刷設定画面６００上で誤植情報１５が更新されたかどうか判断する（ステップＳＣ５）。誤植情報１５が更新された場合（ステップＳＣ５、ＹＥＳ）、プレビュー６５０内の券面画像６５３を逐次更新する（ステップＳＣ６）。
【００８３】
誤植印刷設定画面６００においてセーブキー６６３がクリックされた場合、最新の誤植情報１５が券面画像６５３に反映される。即ち、誤植情報１５が更新されたことにより券面画像に色ポツ６５５が混入される（ステップＳＣ７）。電子透かし埋込部１９４は色ポツ６５５の混入された券面画像６５３に最新の誤植情報１５を電子透かし１３として埋め込む（ステップＳＣ８）。
【００８４】
入力機１００は券面画像６５３を印刷データとして印刷機３００へ送信する（ステップＳＣ９）。印刷機３００は受信した券面画像６５３を証明書１０に内蔵されているＩＣ１６に保存する（ステップＳＣ１０）。また、印刷機３００は受信した券面画像６５３を証明書１０の券面１７に印刷し、発行する（ステップＳＣ１１）。そして処理を終了する。  
上記の構成により、誤植１４を券面１７に混入し、誤植情報１５を電子透かし１３として顔画像１２に埋め込み、券面画像６５３をＩＣ１６に保存することができる。
【００８５】
次に、証明書１０を検査する証明書（個人認証媒体）検査装置、ここでは電子透かしビューワについて説明する。  
図１６は、第２実施形態に係る電子透かしビューワ７００の概略構成を示すブロック図である。第１実施形態と同一の部分には同一の参照符号を付して、その詳細な説明を省略する。第２実施形態によれば、電子透かしビューワ７００の原稿読取台７１０にはＩＣリーダ７１４が設置されている。ＩＣリーダ７１４は証明書１０に内蔵されているＩＣ１６の情報を無線通信により読取ることができる。即ち、ＩＣリーダ７１４はＩＣ１６に記憶されている証明書情報を読取る。読み取られた証明書情報は、確認画面作成部７２２により誤植箇所確認画面に組み込まれる。
【００８６】
ここで、誤植対象が蛍光印刷である場合、ＩＣリーダ７１４は蛍光印刷に対応する蛍光印刷券面画像をＩＣ１６より読取る。読み取られた蛍光印刷券面画像は、確認画面作成部７２２により、誤植箇所確認画面の作成に用いられる。
【００８７】
図１７は、図１６に示した電子透かしビューワ７００において、確認画面を表示する際の動作を示すフローチャートである。画像読取部７１０に証明書１０がセットされると、イメージリーダ７１１は証明書１０を光学的にスキャンし読取イメージを作成する（ステップＳＤ１）。ＩＣリーダ７１４はＩＣ１６より証明書情報を読取る（ステップＳＤ２）。電子透かし抽出部７１２は読取イメージより電子透かし１３を抽出する（ステップＳＤ３）。
【００８８】
誤植情報認識部７２１は抽出した電子透かし１３を、数値として認識し、誤植情報１５を取得する（ステップＳＤ４）。誤植情報認識部７２１は取得した誤植情報１５より誤植対象が蛍光印刷であるかどうか判断する（ステップＳＤ５）。
【００８９】
誤植対象が蛍光印刷でない場合（ステップＳＤ５、ＮＯ）、確認画面作成部７２２は証明書情報、読取イメージ、及び誤植情報１５を用いて誤植箇所確認画面を作成する。即ち、誤植情報１５に基づき、読取イメージ中の誤植箇所に枠を設置する（ステップＳＤ６）。ディスプレイ７５０は誤植箇所確認画面を表示する（ステップＳＤ７）。
【００９０】
確認画面作成部７２２は誤植情報確認画面を表示する操作入力があるかどうか判断する（ステップＳＤ８）。誤植情報確認画面を表示する操作入力があった場合（ステップＳＤ８、ＹＥＳ）、確認画面作成部７２２は誤植情報確認画面を作成する（ステップＳＤ９）。ディスプレイ７５０は誤植情報確認画面を表示する（ステップＳＤ１０）。
【００９１】
ステップＳＤ５において誤植対象が蛍光印刷であると判断された場合（ステップＳＤ５、ＹＥＳ）、ＩＣリーダ７１４はＩＣ１６を読取り、蛍光印刷券面画像を取得する（ステップＳＤ１１）。確認画面作成部７２２は証明書情報、蛍光印刷券面画像、及び誤植情報１５を用いて誤植箇所確認画面を作成する（ステップＳＤ１２）。ディスプレイ７５０は誤植箇所確認画面を表示する（ステップＳＤ１３）。
【００９２】
図１８は、図１６に示した電子透かしビューワ７００により得られた、証明書１０の誤植箇所確認画面８００の表示例を示す図である。第１実施形態と同一の部分には同一の参照符号を付して、その詳細な説明を省略する。第２実施形態によれば、誤植箇所確認画面８００は証明書情報８１０を含んでいる。
【００９３】
証明書情報８１０は、証明書１０の所有者の氏名、生年月日、及び性別等の個人情報と、証明書１０固有の識別番号（ＩＤ）、及び有効年月日とを含んでいる。証明書情報８１０は証明書１０に内蔵されているＩＣ１６に記憶されている。ＩＣリーダ７１４により読取られた証明書情報８１０は確認画面作成部７２２によって図に示すように一覧表示される。
【００９４】
本実施形態で、ＩＣ１６に記憶する券面画像は蛍光印刷に関する券面画像であるとしたがこれに限定されない。通常のスキャンで読取ることのできない画像であれば如何なるものであってもよい。
【００９５】
本発明の第２実施形態によると、証明書１０に意図的に誤植を混入し、誤植の混入された位置、範囲の情報を電子透かしとして埋め込む。証明書１０に電子透かし１３として埋め込まれている誤植情報１５を認識し、誤植が混入されている範囲を特定して表示する。この表示を視認することにより証明書１０の真偽判定を行なうことができる。この為、偽造、改ざんをより確実に防止し、容易に真偽判定を行なうことができる。
【００９６】
また、ＩＣ１６に通常のスキャンで読取ることができない券面画像を記憶させることにより、証明書１０を複数回スキャンする必要がなくなる。この為、処理時間の短縮を実現することができる。
【００９７】
本発明は上記の実施形態に限定されない。サーバに誤植情報１５を識別情報と共に格納し、証明書１０の読取り時にサーバから誤植情報１５を取得するようにしてもよい。
【００９８】
次に、本発明の第３実施形態に係る証明書（個人認証媒体）について図面を参照して説明する。  
図１９は、本実施形態において発行された証明書１０の一例を示す図である。第１実施形態と同一の部分には同一の参照符号を付して、その詳細な説明を省略する。第３実施形態によれば、証明書１０固有の識別番号１８（識別子）が電子透かし１３として顔画像１２に埋め込まれている。
【００９９】
次に証明書１０を発行する証明書発行装置について説明する。  
図２０は、第３実施形態に係る証明書発行装置の概略構成を示すブロック図である。証明書発行装置は入力機１００と、ホストコンピュータ２００と、印刷機３００とを有している。入力機１００、ホストコンピュータ２００、及び印刷機３００は、ＬＡＮなどのネットワーク回線４００を介して互いに接続されている。さらに、電子透かしビューワ７００がネットワーク回線４００に接続されている。電子透かしビューワ７００の構成、及び動作は後述する。
【０１００】
ホストコンピュータ２００にはサーバ２１０（情報処理装置）が接続されている。サーバ２１０は証明書１０固有の識別番号１８と、誤植情報１５とを関連付けて記憶し、データベースを作成している。
【０１０１】
図２１は、図２０に示した証明書発行装置における証明書１０の発行時の動作を示すフローチャートである。入力機１００にキーボード５３０及びマウス５４０によって個人情報１１が入力される（ステップＳＥ１）。入力機１００にカメラ５１０若しくはスキャナ５２０によって顔画像１２が入力される（ステップＳＥ２）。
【０１０２】
券面画像作成部１９１は入力された個人情報１１と顔画像１２とデフォルトの誤植情報１５とを用いて券面画像６５３を作成する（ステップＳＥ３）。電子透かし埋込部１９４は証明書１０固有の識別番号１８を設定し、券面画像６５３内の顔画像１２に電子透かしとして埋め込む（ステップＳＥ４）。誤植設定部１９２はモニタ１７０に券面画像６５３を用いて誤植印刷設定画面６００を表示させる（ステップＳＥ５）。
【０１０３】
誤植設定部１９２は誤植印刷設定画面６００上で誤植情報１５が更新されたかどうか判断する（ステップＳＥ６）。誤植情報１５が更新された場合（ステップＳＥ６、ＹＥＳ）、プレビュー６５０内の券面画像６５３を逐次更新する（ステップＳＥ７）。
【０１０４】
誤植印刷設定画面６００においてセーブキー６６３がクリックされた場合、最新の誤植情報１５が券面画像６５３に反映される。即ち、誤植情報１５が更新されたことにより券面画像に色ポツ６５５が混入される（ステップＳＥ８）。入力機１００は証明書１０固有の識別番号１８と最新の誤植情報１５とをサーバ２１０へ送信する（ステップＳＥ９）。サーバ２１０は受信した識別番号１８と誤植情報１５とを関連付けてデータベースを作成する。
【０１０５】
入力機１００は券面画像６５３を印刷データとして印刷機３００へ送信する（ステップＳＥ１０）。印刷機３００は受信した券面画像６５３を証明書１０の券面１７に印刷し、発行する（ステップＳＥ１１）。そして処理を終了する。
【０１０６】
上記の構成により、誤植１４を券面１７に混入し、証明書１０固有の識別番号１８を電子透かし１３として顔画像１２に埋め込み、誤植情報１５と識別番号１８とからデータベースを作成することができる。
【０１０７】
次に、証明書１０を検査する証明書（個人認証媒体）検査装置、ここでは電子透かしビューワについて説明する。  
図２２は、図２０に示した電子透かしビューワ７００の概略構成を示すブロック図である。第１実施形態と同一の部分には同一の参照符号を付して、その詳細な説明を省略する。第３実施形態によれば、電子透かしビューワ７００の制御部７２０は識別情報認識部７２３、及び誤植情報抽出部７２４を有している。
【０１０８】
識別情報認識部７２３は画像データである電子透かし１３を認識し、識別番号１８を取得する。誤植情報抽出部７２４は取得した識別番号１８に対応する誤植情報１５をサーバ２１０より抽出する。
【０１０９】
パーソナルコンピュータ７４０はディスプレイ７５０及びネットワークＩ／Ｆ７７０を有している。ディスプレイ７５０は、例えば液晶パネルなどで構成される表示装置である。電子透かしビューワ７００にて作成された確認画面はＵＳＢポート７３０を介しパーソナルコンピュータ７４０へ送信される。パーソナルコンピュータ７４０は受信した確認画面をディスプレイ７５０へ表示させる。
【０１１０】
ネットワークＩ／Ｆ７７０はサーバ２１０内のデータベースへアクセスする為の接続部である。ホストコンピュータ７４０は誤植情報１５を抽出する際、ネットワークＩ／Ｆ７７０、及びネットワーク４００を介してサーバ２１０へアクセスする。
【０１１１】
図２３は、図２２に示した電子透かしビューワ７００において、確認画面を表示する際の動作を示すフローチャートである。画像読取部７１０に証明書１０がセットされると、イメージリーダ７１１は証明書１０を光学的にスキャンし読取イメージを作成する（ステップＳＦ１）。電子透かし抽出部７１２は読取イメージより電子透かし１３を抽出する（ステップＳＦ２）。
【０１１２】
誤植情報認識部７２１は抽出した電子透かし１３を、数値として認識し、識別番号１８を取得する（ステップＳＦ３）。誤植情報抽出部７２４は取得した識別番号１８に対応する誤植情報１５をサーバ２１０より抽出する（ステップＳＦ４）。誤植情報認識部７２１は抽出した誤植情報１５より誤植対象が蛍光印刷であるかどうか判断する（ステップＳＦ５）。
【０１１３】
誤植対象が蛍光印刷でない場合（ステップＳＦ５、ＮＯ）、確認画面作成部７２２は誤植箇所確認画面を作成する。即ち、誤植情報１５に基づき、読取イメージ中の誤植箇所に枠を設置する（ステップＳＦ６）。ディスプレイ７５０は誤植箇所確認画面を表示する（ステップＳＦ７）。
【０１１４】
確認画面作成部７２２は誤植情報確認画面を表示する操作入力があるかどうか判断する（ステップＳＦ８）。誤植情報確認画面を表示する操作入力があった場合（ステップＳＦ８、ＹＥＳ）、確認画面作成部７２２は誤植情報確認画面を作成する（ステップＳＦ９）。ディスプレイ７５０は誤植情報確認画面を表示する（ステップＳＦ１０）。
【０１１５】
ステップＳＦ５において誤植対象が蛍光印刷であると判断された場合（ステップＳＦ５、ＹＥＳ）、蛍光印刷画像読取部７１３は証明書１０蛍光印刷画像を光学的にスキャンし蛍光印刷読取イメージを作成する（ステップＳＦ１１）。確認画面作成部７２２は蛍光印刷読取イメージを用いて誤植箇所確認画面を作成する（ステップＳＦ１２）。ディスプレイ７５０は誤植箇所確認画面を表示する（ステップＳＦ１３）。
【０１１６】
本発明の第３実施形態によると、証明書１０に意図的に誤植が混入され、証明書１０固有の識別番号１８が電子透かし１３として埋め込まれている。サーバ２１０に識別番号１８と誤植情報１５とが関連付けられデータベースが作成されている。証明書１０に電子透かし１３として埋め込まれている識別番号１８を認識し、サーバ２１０より識別番号１８に対応する誤植情報１５を抽出する。誤植情報１５に基いて誤植が混入されている範囲を特定して表示する。この表示を視認することにより証明書１０の真偽判定を行なうことができる。この為、偽造、改ざんをより確実に防止し、容易に真偽判定を行なうことができる。
【０１１７】
また、第３実施形態によると、証明書１０固有の識別番号１８を電子透かし１３として顔画像１２に埋め込むことにより、電子透かし１３の情報の量を抑えることができる。この為、顔画像１２の画像の劣化を防ぐことができる。
【０１１８】
本発明は上記の実施形態に限定されるものではない。例えば、第３実施形態において、第２実施形態に示した構成を組み合わせてもよい。
【０１１９】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【０１２０】
本実施形態では個人認証媒体は証明書として説明した。しかし、個人認証媒体は、これに限らず、例えばパスポート、ＩＤカード、運転免許証等、被認証者の識別情報を含むものであれば、本発明は適用され得る。識別情報は、顔画像、文字列に限らず、他の情報としてもよい。
【図面の簡単な説明】
【０１２１】
【図１】図１は、第１実施形態において発行された証明書の一例を示す図である。
【図２】図２は、図１に示した証明書に含まれる誤植情報の構成例を示す説明図である。
【図３】図３は、第１実施形態における証明書発行装置の概略構成の例を示すブロック図である。
【図４】図４は、図３に示した入力機の構成の例を示すブロック図である。
【図５】図５は、図４に示したモニタに表示された誤植印刷設定画面の例を示す説明図である。
【図６】図６は、図３及び図４に示した証明書発行装置における証明書の発行時の動作を示すフローチャートである。
【図７】図７は、図５に示した誤植印刷設定画面のプレビューの他の例を示す説明図である。
【図８】図８は、第１実施形態における電子透かしビューワの概略構成の例を示すブロック図である。
【図９】図９は、図８に示した電子透かしビューワにおいて、確認画面を表示する際の動作を示すフローチャートである。
【図１０】図１０は、図８に示したディスプレイに表示された誤植箇所確認画面の表示例を示す図である。
【図１１】図１１は、図１０において「ＩＮＦＯ」キーをクリックした際に表示される誤植情報確認画面の表示例を示す図である。
【図１２】図１２は、図１０に示した誤植箇所確認画面のイメージの他の例を示す説明図である。
【図１３】図１３は、第２実施形態において発行された証明書の一例を示す図である。
【図１４】図１４は、第２実施形態における証明書発行装置の概略構成の例を示すブロック図である。
【図１５】図１５は、図１４に示した証明書発行装置における証明書の発行時の動作を示すフローチャートである。
【図１６】図１６は、第２実施形態における電子透かしビューワの概略構成の例を示すブロック図である。
【図１７】図１７は、図１６に示した電子透かしビューワにおいて、確認画面を表示する際の動作を示すフローチャートである。
【図１８】図１８は、図１６に示したディスプレイに表示された誤植箇所確認画面の表示例を示す図である。
【図１９】図１９は、第３実施形態において発行された証明書の一例を示す図である。
【図２０】図２０は、第３実施形態における証明書発行装置の概略構成の例を示すブロック図である。
【図２１】図２１は、図２０に示した証明書発行装置における証明書の発行時の動作を示すフローチャートである。
【図２２】図２２は、図２０に示した電子透かしビューワの概略構成の例を示すブロック図である。
【図２３】図２３は、図２２に示した電子透かしビューワにおいて、確認画面を表示する際の動作を示すフローチャートである。
【符号の説明】
【０１２２】
１１…個人情報、１２…顔画像、１３…電子透かし、１４…誤植、１５…誤植情報、１６…ＩＣ、１７…券面、１９１…券面画像作成部、１９２…誤植設定部、１９３…誤植付与部、１９４…電子透かし埋込部、２１０…サーバ、３００…印刷機、３１０…ＩＣライタ、５１０…カメラ、５２０…スキャナ、５３０…キーボード、５４０…マウス、７１１…イメージリーダ、７１２…電子透かし抽出部、７１４…ＩＣリーダ、７２１…誤植情報認識部、７２２…確認画面作成部、７２３…識別情報認識部、７２４…誤植情報抽出部、７５０…ディスプレイ。
【図１】
2008080745.tif 000003
【図２】
2008080745.tif 000004
【図３】
2008080745.tif 000005
【図４】
2008080745.tif 000006
【図５】
2008080745.tif 000007
【図６】
2008080745.tif 000008
【図７】
2008080745.tif 000009
【図８】
2008080745.tif 000010
【図９】
2008080745.tif 000011
【図１０】
2008080745.tif 000012
【図１１】
2008080745.tif 000013
【図１２】
2008080745.tif 000014
【図１３】
2008080745.tif 000015
【図１４】
2008080745.tif 000016
【図１５】
2008080745.tif 000017
【図１６】
2008080745.tif 000018
【図１７】
2008080745.tif 000019
【図１８】
2008080745.tif 000020
【図１９】
2008080745.tif 000021
【図２０】
2008080745.tif 000022
【図２１】
2008080745.tif 000023
【図２２】
2008080745.tif 000024
【図２３】
2008080745.tif 000025